(57)【要約】多モード音響システム（１２０）を有する電子デバイス（１００）及び音波を発するための方法（５００）。音響システム（１２０）は、通常、トランスジューサ（５３０）、第１のポート（５１０）、及び第２のポート（５２０）を備える。第１及び第２のポート（５１０，５２０）は、トランスジューサ（５３０）に音響結合することができる。第２のポート（５２０）は、第２のポート（５２０）からの出力が、第１のポート（５１０）からの出力にほぼ等しくなるように、第１のポート（５１０）に対して音響上対称にすることができる。
2006505220.tif 000002
【特許請求の範囲】
【請求項１】
電子デバイス用の音響システムであって、
トランスジューサと、
前記トランスジューサに音響結合され、前記電子デバイスに関連する第１のモードで動作可能な第１のポートと、
前記トランスジューサに音響結合され、前記電子デバイスに関連する第２のモードで動作可能であり、かつ前記第２のモードにおける前記第２のポートからの出力が、前記第１のモードにおける前記第１のポートからの出力とほぼ等しくなるように、前記第１のポートに対して音響上対称である第２のポートとを備える音響システム。
【請求項２】
前記第１のポートが第１のインピーダンスを有するポートであり、前記第２のポートが第２のインピーダンスを有するポートであり、前記第１及び第２のインピーダンスが一定の周波数範囲全体にわたって同一である、請求項１に記載の音響システム。
【請求項３】
前記第１及び第２のポートが、空洞部を通して前記トランスジューサに音響結合している、請求項１に記載の音響システム。
【請求項４】
前記第１のポートが前記音響システムの第１の側面上に設置され、かつ前記第２のポートが前記音響システムの第２の側面上に設置され、前記第１及び第２の側面が互いに反対側にある、請求項１に記載の音響システム。
【請求項５】
前記第１のポートが前記音響システムの第１の側面上に設置され、前記第２のポートが前記音響システムの第２の側面上に設置され、前記第１及び第２の側面が相互に隣接している、請求項１に記載の音響システム。
【請求項６】
前記第１及び第２の各ポートが、孔部、スロット、スリット、溝、ノッチ又は開口部である、請求項１に記載の音響システム。
【請求項７】
前記第１及び第２のポートが、前記ポートをユーザの耳に当てた場合に、周波数応答を生成するように構成されている、請求項１に記載の音響システム。
【請求項８】
前記第１及び第２のポートの一方が、前記第１及び第２のポートの他方を表面に当てた場合に、周波数応答を生成するように構成されている、請求項１に記載の音響システム。
【請求項９】
前記電子デバイスは、携帯電話、ページャ、ハンドヘルド・コンピュータ、携帯情報端末（ＰＤＡ）、マイクロカセット・レコーダ、デジタル音声レコーダ又は無線装置である、請求項１に記載の音響システム。
【請求項１０】
多モード音響システムを有する電子デバイスであって、前記音響システムが、
第１の側面及び第２の側面を有するハウジング内に配置されていて、電気信号を音波に変換するように構成されている音源と、
前記第１の側面上に設置され、前記電子デバイスの第１のモードにおいて、前記音源から音波を空気中に放出すべく形成されている第１のポート構造と、
前記第２の側面上に設置され、前記電子デバイスの第２のモードにおいて、前記音源から音波を空気中に放出すべく形成されている第２のポート構造と、前記第２のポート構造からの出力は、前記第１のポート構造からの出力にほぼ等しくなるように、前記第１のポート構造に対して音響上対称であることとを備える、電子デバイス。
【請求項１１】
前記第１のポート構造が第１のインピーダンスを有するポート構造であり、前記第２の
ポート構造が第２のインピーダンスを有するポート構造であり、前記第１及び第２のインピーダンスが一定の周波数範囲全体にわたって同一である、請求項１０に記載の電子デバイス。
【請求項１２】
前記第１及び第２の各ポート構造は、前記構造がユーザの耳に当てられた場合に、ある周波数応答を生成するように構成されている、請求項１０に記載の音響デバイス。
【請求項１３】
前記第１及び第２のポート構造の一方が、前記第１及び第２のポート構造の他方を表面に当てた場合に、ある周波数応答を生成するように構成されている、請求項１０に記載の音響デバイス。
【請求項１４】
前記ハウジングの前記第１の側面が、前記ハウジングの前記第２の側面に隣接している、請求項１０に記載の電子デバイス。
【請求項１５】
前記ハウジングの前記第１及び第２の側面が互いに反対側にある、請求項１０に記載の電子デバイス。
【請求項１６】
前記第１及び第２の各ポート構造が、孔部、スロット、スリット、溝、ノッチ又は開口部である、請求項１０に記載の電子デバイス。
【請求項１７】
前記電子デバイスが、携帯電話、ページャ、ハンドヘルド・コンピュータ、携帯情報端末（ＰＤＡ）、マイクロカセット・レコーダ、デジタル音声レコーダ又は無線装置である、請求項１０に記載の電子デバイス。
【請求項１８】
音波を発する音響構成を有した電子デバイスであって、
前部、後部、側面、第１の空洞部及び第２の空洞部を有するハウジングと、
前記ハウジング内に設けられ、音波を発するために動作可能な音源と、
前記ハウジングの前記前部上に設けられ、前記第１の空洞部を通して前記音源に音響結合している第１の音波発生構造と、
前記ハウジングの前記側面上に設けられ、前記第１の空洞部を通して前記音源に音響結合していて、前記第１の音波発生構造に対して音響上対称である第２の音波発生構造と、
前記ハウジングの前記後部上に位置していて、前記第２の空洞部を通して前記音源に音響結合している第３の音波発生構造とを備える電子デバイス。
【請求項１９】
前記第１の音波発生構造が第１のインピーダンスを有する音波発生構造であり、前記第２の音波発生構造が第２のインピーダンスを有する音波発生構造であり、前記第１及び第２のインピーダンスが一定の周波数範囲全体にわたって同一である、請求項１８に記載の電子デバイス。
【請求項２０】
前記第１及び第２の各音波発生構造が、前記構造がユーザの耳に当てられた場合に、ある周波数応答を生成するように構成されている、請求項１８に記載の電子デバイス。
【請求項２１】
前記第１及び第２の音波発生構造の一方が、前記第１及び第２の音波発生構造の他方を表面に当てた場合に、ある周波数応答を生成するように構成されている、請求項１８に記載の電子デバイス。
【請求項２２】
前記第１、第２及び第３の各音波発生構造が、孔部、スロット、スリット、溝、ノッチ又は開口部である、請求項１８に記載の電子デバイス。
【請求項２３】
前記電子デバイスが、携帯電話、ページャ、ハンドヘルド・コンピュータ、携帯情報端
末（ＰＤＡ）、マイクロカセット・レコーダ、デジタル音声レコーダ又は無線装置である、請求項１８に記載の電子デバイス。
【請求項２４】
トランスジューサ内で電気信号を音波に変換するステップと、
第１のポート及び第２のポートに音響結合している空洞部内に前記トランスジューサから音波を発するステップと、
前記電子デバイスが第１のモードにある場合に、前記空洞部から前記第１のポートを通して空気中に音波を発するステップと、
電子デバイスが第２のモードにある場合に、前記空洞部から前記第２のポートを通して空気中に音波を発するステップであって、前記第２のポートが前記第２のポートからの出力が前記第１のポートからの出力にほぼ等しくなるように、前記第１のポートに対して音響上対称となる、音波を発するステップと
を備える電子デバイスから音波を発生するための方法。
【請求項２５】
第１のポート及び第２のポートに音響結合している空洞部に前記トランスジューサから音波を発するステップには、前記第１及び第２のポートに音響結合しているＬ字形の空洞部内に前記トランスジューサから音波を発するステップが含まれる、請求項２４に記載の方法。
【請求項２６】
第１のポート及び第２のポートに音響結合している空洞部に前記トランスジューサから音波を発するステップには、一定の周波数範囲全体にわたって同一のインピーダンスを有するポートに音響結合している空洞部内に前記トランスジューサから音波を発するステップが含まれる、請求項２４に記載の方法。
【請求項２７】
前記電子デバイスが第１のモードにある場合に前記空洞部から前記第１のポートを通して空気中に音波を発するステップには、前記空洞部から孔部、スロット、スリット、溝、ノッチ、又は開口部を通して空気中に音波を発するステップが含まれる、請求項２４に記載の方法。
【請求項２８】
前記電子デバイスが第１のモードである場合に前記空洞部から前記第１のポートを通して空気中に音波を発するステップには、前記第１のポートがユーザの耳に当てられた場合に、前記空洞部から前記第１のポートを通して空気中に音波を発するステップが含まれる、請求項２４に記載の方法。
【請求項２９】
前記電子デバイスが第１のモードにある場合に前記空洞部から前記第１のポートを通して空気中に音波を発するステップには、前記第２のポートが表面に当てられた場合に、前記空洞部から音波を発するステップが含まれる、請求項２４に記載の方法。
【請求項３０】
前記電子デバイスが第２のモードにある場合に前記空洞部から前記第２のポートを通して空気中に音波を発するステップには、前記空洞部から孔部、スロット、スリット、溝、ノッチ、又は開口部を通して空気中に音波を発するステップが含まれる、請求項２４に記載の方法。
【請求項３１】
前記電子デバイスが第２のモードにある場合に前記空洞部から前記第２のポートを通して空気中に音波を発するステップには、前記第２のポートがユーザの耳に当てられた場合に、前記空洞部から前記第２のポートを通して空気中に音波を発するステップが含まれる、請求項２４に記載の方法。
【請求項３２】
前記電子デバイスが第２のモードにある場合に前記空洞部から前記第２のポートを通して空気中に音波を発するステップには、前記第１のポートが表面に当てられた場合に、前
記空洞部から前記第２のポートを通して空気中に音波を発するステップが含まれる、請求項２４に記載の方法。
【請求項３３】
前記電子デバイスは、携帯電話、ページャ、ハンドヘルド・コンピュータ、携帯情報端末（ＰＤＡ）、マイクロカセット・レコーダ、デジタル音声レコーダ又は無線装置である、請求項２４に記載の方法。
【請求項３４】
音波を発する音響構成を有する電子デバイスであって、
第２の部分に回動自在に結合している第１の部分を有するハウジングと、
前記ハウジング内に位置していて、前面から第１の空洞部内に音波を発し、後部から第２の空洞部に音波を発するように構成されている音源と、
前記第１の部分の側面上に位置していて、前記第１の空洞部と音響結合している第１のポート構造と、
前記第１の部分の対向側面上に位置し、また前記第２の空洞部に音響結合していて、前記第１のポート構造が密封状態の場合に、狭い帯域幅の音響信号を生成するように構成されている第２のポート構造と、
前記ハウジングが開いた状態の場合に、広い帯域幅の音響信号を生成するように構成されている前記第１及び第２のポート構造とを備える電子デバイス。
【発明の詳細な説明】
【技術分野】
【０００１】
本発明は、電子デバイスに関し、より詳細には多モード音響システムを有する電子デバイス及び音波を発するための方法に関する。
【背景技術】
【０００２】
携帯電話、ページャ、携帯情報端末（ＰＤＡ）、ハンドヘルド・コンピュータ、マイクロカセット又はデジタル音声レコーダ及び双方向無線装置などの電子デバイスは、通常、小型化及び携帯可能にすることを念頭において設計される。例えば、ある種の携帯電話は、空間を節約するためにハマグリの貝殻のように折り畳まれる２つの部分から構成されている。このような設計により、設計者はコンパクトなパッケージにより、多モードの動作（例えば、音声メッセージ検索及び音声発信）を提供することができる。特に、これらの携帯電話は、回動自在に結合された頂部及び基部を備えることがある。通常、頂部は、電気信号を２０ヘルツ（Ｈｚ）〜２０，０００キロヘルツ（ｋＨｚ）の可聴周波数範囲の音波に変換するスピーカ、及び音波を発するためのポートを備え得る。開いた状態及び閉じた状態で、いくつかのモードを使用することができる。例えば、携帯電話のユーザは、聞くためにスピーカをユーザの耳に当てることにより、開いた状態で（すなわち、デバイスを開いて、頂部を基部から回動によって離した状態で）電話機により音声メッセージを取得すること、及び入接続呼に応答することの少なくとも一方を行い得る。電話が閉じた状態の場合（例えば、電話の呼出し音が入接続呼を通知するなど）、ユーザはスピーカが発する音波を聞くことができるが、ユーザは、音声メッセージを取得することや、閉じた状態で入接続呼に応答することができない。スピーカは、開いた状態及び閉じた状態で、いくつかの音響周波数応答及び振幅を発生可能であるので、ユーザは、電話機が開いた状態にあればスピーカを通して聴覚可能であっても、閉じた状態にある場合で同じモード（例えば、音声呼出しに応答したり、音声呼出しをスタートするために）を動作するために一組のヘッドホンを必要とする場合がある。開いた状態及び閉じた状態両方の場合に、ほぼ同じ音響応答を供給するために電話機に個別の音響経路を内蔵させることができる。しかし、このような設計にすると、最適性能を発揮しようとしても、電話機の漏洩許容範囲（すなわち、電話機とユーザの耳との間の密封状態）が低下する。すなわち、電話機とユーザの耳との間の空気漏洩が、低い周波数の音の再生を低減させる恐れがある。電話機のサイズが小さくなるにつれて空気漏洩の量が増大する。何故なら、電話機とユーザの耳との間の接触面積が小さくなるからである。切替え経路設計にすれば、開いた状態又は閉じた状態で同じ出力信号を生成することができるが、ユーザの耳が形成する密封状態がなくなり、漏洩許容範囲も低下する場合がある。さらに、切替え経路設計の場合には、電話機に可動部分を追加しなければならないために、製造コストが増大する。
【０００３】
最適な性能を達成するためには、ある種の携帯電話を特定の位置に向けなければならない場合がある。例えば、クレジット・カード・サイズの携帯電話の場合には、ユーザの頭からアンテナを最大限遠ざけると、もっとよく受信できるようになる。アンテナは、ユーザの耳に対して横に向けた場合に、最適な性能を発揮できるように電話機に内蔵させることができる。しかし、通常、スピーカは、ユーザが聞くために電話機の前面をユーザの耳に当てることができるように、電話機の前面に設置される。アンテナ及びスピーカの向きのために、ユーザは最適な受信及びオーディオ品質を達成することができない。
【発明の開示】
【発明が解決しようとする課題】
【０００４】
従って、同じスピーカにより種々のモードで許容できるオーディオ品質を提供するための電子デバイスで使用する音響システムの開発が待望されている。
【課題を解決するための手段】
【０００５】
多モード音響システムを有する電子デバイス及び音波を発するための方法について説明する。多モード音響システムは、通常、トランスジューサ（例えば、ラウドスピーカ）、第１のポート、及び第２のポートを備える。トランスジューサは、第１の側面及び第２の側面を有するハウジングに内蔵することができる。特に、トランスジューサは、電気信号を音波に変換するように構成することができる。第１のポートは、第１の側面上に配置することができ、一方、第２のポートは、第２の側面上に配置することができる。例えば、ハウジングの第１及び第２の側面は、音波を電子デバイスの前部及び後部から供給することができるように、相互に対向して設置することができる。別の方法としては、第１及び第２の側面を相互に隣接させることもできる。第１及び第２のポートは、空洞部を通してトランスジューサに音響結合している。例えば、空洞部は、第１及び第２のポートに音響結合しているＬ字形の空洞部にすることができるが、これに限定されない。第１のポートは、電子デバイスに関連する第１のモードで動作するように構成することができ、一方、第２のポートは、電子デバイスに関連する第２のモードで動作するように構成することができる。さらに、第２のポートは、第２のポートからの出力が、第１のポートからの出力とほぼ同じになるように（すなわち、第１及び第２のポートのインピーダンスが周波数範囲全体にわたって同じになるように）第１のポートに対して音響上対称にすることができる。
【発明を実施するための最良の形態】
【０００６】
その広義の技術思想を説明するために、本明細書はいくつかの実施形態について説明する。また添付の図面も参照する。
図１について説明すると、電子デバイス１００は、通常、コントローラ１１０及び音響システム１２０を有する。コントローラ１１０は、プロセッサ１５０及びメモリ１６０を有する。プロセッサ１５０は、メモリ１６０に作動連結されて、このメモリはプロセッサ１５０のためのプログラム又は一組の動作命令を記憶する。プロセッサ１５０は、電子デバイス１００が本明細書の記載に従って動作するように、プログラム又は一組の動作命令を実行する。上記一組の動作命令のプログラムは、紙、プログラマブル・ゲート・アレイ、特定用途向け集積回路（ＡＳＩＣ）、消去可能なプログラマブル読出し専用メモリ（ＥＰＲＯＭ）、読出し専用メモリ（ＲＯＭ）、ランダム・アクセス・メモリ（ＲＡＭ）、磁気媒体及び光媒体のような、しかしこれらに限定されないコンピュータ可読媒体内で実施することができる。電子デバイス１００は、無線周波（ＲＦ）通信を行うために、その中に配置されている受信ユニット及び送信ユニットを（図示せず）含むことができる。
【０００７】
本明細書に記載する実施形態は、携帯電話と一緒に使用するのに特に適しているが、通常の当業者であれば、本明細書の記述は、このような電子デバイスに決して限定されないことを容易に理解することができるだろう。それどころか、通常の当業者であれば、本明細書の記述を、ページャ、携帯情報端末（ＰＤＡ）、ハンドヘルド・コンピュータ、マイクロカセット又はデジタル音声レコーダ及び無線装置などの他の電子デバイスに、これらに限定されることなく利用可能であることを容易に理解することができるだろう。多モード音響システムのコンセプトを説明するために、電子デバイス１００は、図２〜４、図７，８に示すように、多モード音響システムに適合している携帯電話であってもよい。
【０００８】
すでに説明したように、電子デバイス１００は、携帯電話であってもよいが、これに限定されない。例えば、電子デバイス１００は、図２，３に示すように、折り畳むことができるハマグリの貝殻状の携帯電話２００であってもよい。電話機２００は、通常、頂部２１０及び基部２２０を有する。頂部２１０及び基部２２０は、通常の当業者であれば容易に理解することができると思うが、相互に回動自在に結合することができる。例えば、頂部２１０及び基部２２０は、ヒンジ結合することができる。電話機２００は、図２に示す
第１の状態（すなわち、閉じた状態）から、図３に示す第２の状態（すなわち、開いた状態）に調整することができる。それ故、電話機２００は、基部２２０から離れる方向に垂直方向又は水平方向に回転する頂部２１０により、第１の状態から第２の状態に調整することができる。その逆の調整も行うことができる。
【０００９】
電話機２００は、プライベート・モード（すなわち、電話機２００をユーザの耳に当てた状態）など、種々のモードで動作することができる。より詳細に説明すると、電話機２００は、図２に示す第１の状態で第１のモードで動作することができ、図３に示す第２の状態で第２のモードで動作することができる。そうするために、電話機２００の頂部２１０は、以下に詳細に説明するように、第１のポート５１０（図２に示す）及び、第２のポート５２０（図３に示す）を有する多モード音響システム１２０を有し得る。例えば、ユーザは、第１のポート５１０を通して、電話機２００を開かないで（すなわち、第２のポート５２０を密封することができる図２に示す閉じた状態で）音声メッセージを検索することができる。すなわち、ユーザは、音声メッセージを取得する間（すなわち、第１のモードで）ユーザの耳に第１のポート５１０を当てることができる。別の方法としては、ユーザは、呼出しをスタート及び／又は呼出しに応答するために、電話機２００を開くことができる（すなわち、図３の開いた状態にすることができる）。ユーザは、呼出し（すなわち、第２のモード）中、第２のポート５２０をユーザの耳に当てることができる。第１のモード又は第２のモードの場合、ユーザの耳は、音響システム１２０から音波を発することができるように、音響システム１２０に負荷（すなわち、ユーザの耳から生成された相対的密封状態）を提供することができる。しかし、第１及び第２のポート５１０、５２０は、音響上同一であるので、第１及び第２のポート５１０、５２０からの出力は、ユーザの耳からの負荷の有無に関らずほぼ同じになる。
【００１０】
他の例の場合には、第１のポート５１０は、第２のポート５２０が密封状態の場合（例えば、電話機２００が図２に示すように閉じた状態にある場合）、呼出し音などの狭い帯域幅の音響信号を生成することができる。電話機２００が、図３に示すように開いた状態の場合には、第１及び第２のポート５１０、５２０は、スピーカホンとして動作することができ、広い帯域幅の音響信号を生成する。
【００１１】
図５について説明すると、音響システム１２０は、通常、第１のポート５１０と、第２のポート５２０と、トランスジューサ５３０とを含む。トランスジューサ５３０（例えば、ラウドスピーカ）は、第１の部分５５０及び第２の部分５６０を備えるハウジング５４０に内蔵させることができる。第１のポート５１０は、第１の部分５５０上に設置することができ、一方、第２のポート５２０は、第２の部分５６０上に設置することができる。第１の部分５５０は、電話機２００の前部であってもよいが、これに限定されない。第２の部分５６０は、電話機２００の後部であってもよいが、これに限定されない。第１及び第２の部分５５０、５６０は相互に対向しているので、第１のポート５１０及び第２のポート５２０は相互に対向することになる。
【００１２】
さらに、ハウジング５４０は、第１の空洞部５７０及び第２の空洞部５８０を含むことができる。第１の空洞部５７０は、ハウジング５４０とトランスジューサ５３０の後部５３２の中間の自由空間（すなわち、密封されたエンクロージャ）であってもよい。第２の空洞部５８０は、第１のポート５１０とトランスジューサ５３０の前部５３４の中間の自由空間であってもよい。より詳細に説明すると、第２の空洞部５８０は、Ｌ字形の通路として構成することができる。それ故、第２の空洞部５８０もまた第２のポート５２０とトランスジューサ５３０の中間の自由空間であってもよい。第１及び第２のポート５１０、５２０は、孔部、スロット、スリット、溝、ノッチ、及び開口部であってもよいが、これらに限定されない。例えば、第１のポート５１０は、開口部を覆っているダンピング材料５１２（例えば、フェルト又はグリル付き布）を含む５つの開口部であってもよい。一方
、第２のポート５２０は、第１及び第２のポート５１０、５２０が同一のインピーダンスを有するように、異なるダンピング材料５２２で覆われている１つのスロットであってもよい。第１及び第２のポート５１０、５２０の構造は、物理的及び／又は機械的に同じでなくてもよいが、第１及び第２のポート５１０、５２０は、第２の空洞部５８０の構成のために音響上対称とすることができる。すなわち、第１及び第２のポート５１０、５２０は、第１及び第２のポート５１０、５２０の出力がほぼ同じになるように、周波数範囲全体にわたってほぼ同じインピーダンスを有することができる。
【００１３】
図５に示す音響システム１２０の基本的な流れは、通常の当業者であれば容易に理解することができるように、電気信号を第２の空洞部５８０への音波に変換するトランスジューサ５３０から始めることができる。音響システム１２０の前の部分５５０（例えば、前面）から、第１のポート５１０は、第２の空洞部５８０から電子デバイス１００の外の空気中に音波を発することができる。音波は、音響システム１２０の第２の空洞部５８０を通して、及び後部５６０（例えば、背面）内の第２のポート５２０を通して空気中に伝搬することが可能となる。第１及び第２のポート５１０，５２０は相互に音響上対称であるので、第１及び第２のポート５１０，５２０からの音波はほぼ同じである。すなわち、第１及び第２のポート５１０，５２０は、音響システム１２０が、ユーザの耳に当てた場合、第１のポート５１０又は第２のポート５２０から同じ音響応答を供給することができるように、同じインピーダンスを有することができる。
【００１４】
別の方法としては、図５に示す第２のポート５２０は、クレジット・カード・サイズの携帯電話（図４に参照番号４００で示すもの）などの電子デバイス１００の側面上で実施することができるが、実施できる場所はここに限定されない。図４，６について説明すると、第１のポート６１０は、前面４１０上に（すなわち、図５に示す第１のポート５１０と同様に）設置することができる。一方、第２のポート６２０は、電話機４００の側面４２０（すなわち、前面４１０に隣接する任意の側面）上に設置することができる。第１のポート６１０及び第２のポート６２０の他に、音響システム１２０は、通常、トランスジューサ６３０及び前部６５０、後部６６０及び側面６６５を有するハウジング６４０を含む。第１及び第２のポート６１０，６２０は、図５に示す第１及び第２のポート５１０，５２０と類似の方法で、相互に音響上対称にすることができる。図６に戻って説明すると、第１のポート６１０は、ハウジング６４０の前部６５０上に設置することができる。しかし、この場合、第２のポート６２０は、図５に示す音響システム１２０の後部上ではなく、ハウジング６４０の側面６６５上に設置することができる。第２の空洞部６８０は、トランスジューサ６３０の前部６３４と第１及び第２のポート６１０，６２０の両方の中間の自由空間であってもよい。電話機４００の物理的サイズの制限のために、音響システム１２０は、また、最適な結果を得る目的で、第１の空洞部６７０内の空気の量を調整するために、ハウジング６４０の後部６６０上の第３のポート６９０（すなわち、後部ポート）を含むことができる。より詳細に説明すると、第１の空洞部６７０は、第３のポート６９０とトランスジューサ６３０の後部６３２の中間の自由空間であってもよい。
【００１５】
通常の当業者であれば、第１及び第２のポート５１０，５２０，６１０，６２０を、多くの異なる形状及びサイズの任意のものにより、多くの異なる方法で実施することができることを理解することができるだろう。それ故、図５，６は、第１及び第２のポート５１０，５２０，６１０，６２０の特定の構成を示しているが、通常の当業者であれば、第１及び第２のポート５１０，５２０，６１０，６２０を他の形状及びサイズで構成することができることを理解することができるだろう。図５，６に示す第１及び第２のポート５１０，５２０，６１０，６２０の構成は、単に例示としてのものに過ぎない。
【００１６】
すでに説明したように、電子デバイス１００は、種々のモードで動作することができる。より詳細に説明すると、電子デバイス１００は、上記多モード音響システム１２０を使
用する、手ぶらモード（すなわち、スピーカホン）として動作することができる、図７，８に示す携帯電話７００であってもよい。この場合、電話機７００は、通常、第１のポート７１０（図７に示す）及び第２のポート８２０（図８に示す）を含む。第１のポート７１０は、電話機７００（図７に示す）の前部７２０上に設置することができ、一方、第２のポート８２０は、電話機７００（図８に示す）の後部７３０上に設置することができる。電話機７００を表面上に設置する場合には、第１のポート７１０又は第２のポート８２０から音波を発生させるために、表面の負荷はユーザの耳の負荷を置き換えることができる。例えば、電話機７００が後部７３０上におかれた場合、音波を第１のポート７１０から発することができる。別の方法としては、電話機７００が前部７２０上におかれた場合、音波は、第２のポート８２０から発することができる。第１及び第２のポート７１０，８２０は、音響上相互に対称であるので、第１及び第２のポート７１０，８２０どちらかからの音波をほぼ同じにすることができる。
【００１７】
図９について説明すると、図１に示す電子デバイス１００から音波を発する基本的な流れは、ステップ９１０において、トランスジューサ内で電気信号を音波に変換するところから開始することができる。より詳細に説明すると、トランスジューサは、電気信号を２０ヘルツ（Ｈｚ）から２０，０００キロヘルツ（ｋＨｚ）の可聴周波数範囲内の音波に変換することができる。ステップ９２０において、トランスジューサは、音波を第１のポート及び第２のポートに音響結合している空洞部へ発することができる。例えば、空洞部は、電子デバイスの対向側面から音波を発することができるように、Ｌ字形の空洞部にすることができるが、空洞の形はＬ字形に限定されない。より詳細に説明すると、第１のポートは、ステップ９３０において、電子デバイスが第１のモード（すなわち、開いた状態）の場合、音波を空洞部から空気中に発することができる。例えば、携帯電話は、ユーザが入接続呼に応答するために携帯電話を開くことができるように、折り畳み可能な貝型の携帯電話であってもよい。別の方法としては、第２のポートは、ステップ９４０において、電子デバイスが第２のモードの場合に、空洞部から第２のポートを通して空気中に音波を発することができる。第２のポートは、第２のポートからの出力が第１のポートからの出力とほぼ同じになるように、第１のポートに対して音響上対称にすることができる。上記例の後で、第２のモードは閉じた状態であってもよいが、これに限定されない。それ故、ユーザは携帯電話を開かないで、音声メッセージを検索することができる。
【００１８】
上記実施形態を種々に変更及び修正することができる。いくつかの変更の範囲についてはすでに説明した。添付の特許請求の範囲を読めば、他の範囲も理解することができるだろう。
【図面の簡単な説明】
【００１９】
【図１】電子デバイスのブロック図。
【図２】携帯電話を示す斜視図。
【図３】携帯電話を示す斜視図。
【図４】携帯電話を示す斜視図。
【図５】音響システムの概略を示す構成図。
【図６】音響システムの概略を示す構成図。
【図７】携帯電話を示す斜視図。
【図８】携帯電話を示す斜視図。
【図９】電子デバイスから音波を発するための方法を説明するフローチャート。
【図１】
2006505220.tif 000003
【図２】
2006505220.tif 000004
【図３】
2006505220.tif 000005
【図４】
2006505220.tif 000006
【図５】
2006505220.tif 000007
【図６】
2006505220.tif 000008
【図７】
2006505220.tif 000009
【図８】
2006505220.tif 000010
【図９】
2006505220.tif 000011
【国際調査報告】
2006505220.tif 000012